(57)【特許請求の範囲】
【請求項１】
ねじ軸と、
前記ねじ軸と間隔をあけて配置されたガイド部と、
光ヒップアップを収容したケースと、
前記ケースに取り付けられ、前記ねじ軸と噛み合うラック部と、
前記ケースに取り付けられ、前記ガイド部に接触した当接部と、
前記当接部を前記ガイド部に向かって付勢しているとともに、前記ケースに向かって付勢した付勢手段と、
を備えたことを特徴とするピックアップの送り機構。
【請求項２】
前記当接部と前記ケースとのうち一方から他方に向かって凸の凸部と、前記他方に設けられかつ前記凸部が侵入する凹部と、を備えたことを特徴とする請求項１記載のピックアップの送り機構。
【請求項３】
前記凹部は、前記一方から離れるのにしたがって徐々に幅が減少するように形成されていることを特徴とする請求項２記載のピックアップの送り機構。
【請求項４】
前記凹部は、断面Ｖ字状に形成されていることを特徴とする請求項３記載のピックアップの送り機構。
【請求項５】
前記凸部は、前記一方から他方に近づくのにしたがって徐々に幅が減少するように形成されていることを特徴とする請求項２ないし請求項４のうちいずれか一項に記載のピックアップの送り機構。
【請求項６】
前記凸部は、断面山形に形成されていることを特徴とする請求項５記載のピックアップの送り機構。
【請求項７】
前記ガイド部は、前記ねじ軸を回転自在に支持したシャーシの一部であることを特徴とする請求項１ないし請求項６のうちいずれか一項に記載のピックアップの送り機構。
【発明の詳細な説明】
【技術分野】
【０００１】
本発明は、例えば、ＣＤプレーヤなどの各種の記録媒体から情報を読み出す電子機器に用いられる光ピックアップをスライド移動させるピックアップの送り機構に関する。
【背景技術】
【０００２】
例えば、ＣＤ（Compact Disk）などの光ディスクに記録された情報を読み出して、再生する電子機器としての記録媒体再生装置は、光ディスクから情報を読み出す光ピックアップと、該光ピックアップを光ディスクの径方向に移動させるピックアップの送り機構（以下、単に送り機構と呼ぶ）などを備えている。【０００３】
送り機構は、光ディスクの径方向に沿って配置されかつモータなどの駆動源からの駆動力によって回転駆動されるねじ軸と、該ねじ軸と間隔をあけかつ平行に配置されたガイド棒と、前記光ピックアップを収容したケースと、前記ケースに取り付けられかつ一端部が前記ねじ軸と噛合するとともに他端部が前記ガイド棒に接触したラック部材と、前記ラック部材の他端部を前記ガイド部に向かって付勢したばね部材と、を備えている。【０００４】
送り機構は、前記ばね部材がラック部材の他端部をガイド棒に向かって付勢することで、ラック部材即ち該ラック部材が取り付けられたケースががたつくことを防止する。送り機構は、ねじ軸が回転駆動されることでケース即ち光ピックアップを光ディスクの径方向に沿って移動する。
【発明の開示】
【発明が解決しようとする課題】
【０００５】
前述した従来の送り機構の構成では、前述したラック部材やケースの小型化などのために、これらのラック部材とケースとの固定位置が前述した一端部寄りに位置付けられることが考えられる。すると、ラック部材とガイド棒との間の摩擦力などによって、ケース即ち光ピックアップの移動中に、ラック部材の他端部が一端部より遅れて移動することが考えられる。すると、勿論、光ピックアップを収容したケースも、ねじ軸側の一端部より他端部が遅れて移動する虞があった。【０００６】
このため、前述した従来の送り機構の構成では、正確な位置に光ピックアップを位置決めすることが困難となる虞があった。【０００７】
したがって、本発明の目的は、例えば、小型化を図っても、正確な位置に光ピックアップを位置決めすることを可能とするピックアップの送り機構を提供することにある。
【課題を解決するための手段】
【０００８】
前記課題を解決し目的を達成するために、請求項１に記載の本発明のピックアップの送り機構は、ねじ軸と、前記ねじ軸と間隔をあけて配置されたガイド部と、光ヒップアップを収容したケースと、前記ケースに取り付けられ、前記ねじ軸と噛み合うラック部と、前記ケースに取り付けられ、前記ガイド部に接触した当接部と、前記当接部を前記ガイド部に向かって付勢しているとともに、前記ケースに向かって付勢した付勢手段と、を備えたことを特徴としている。
【図面の簡単な説明】
【０００９】
【図１】本発明の一実施例にかかるピックアップの送り機構を示す斜視図である。
【図２】図１に示されたピックアップの送り機構の要部を拡大して示す斜視図である。
【図３】図２に示されたピックアップの送り機構の他の要部を拡大して示す斜視図である。
【図４】図３に示された要部を別の角度からみた斜視図である。
【図５】図４中のＶ−Ｖ線に沿う断面図である。
【図６】図１中のＶＩ−ＶＩ線に沿う断面を模式的に示す説明図である。
【図７】図５に示されたピックアップの送り機構の要部の変形例を示す断面図である。
【図８】図５に示されたピックアップの送り機構の要部の他の変形例を示す断面図である。
【符号の説明】
【００１０】
１  ピックアップの送り機構
８  移動シャーシ（シャーシ）
１１  リードスクリュー（ねじ軸）
１３  ラック部材
１４  ねじりコイルばね（付勢手段）
１５  ケース
１９  当接部
２０  凸部
２１  凹部
２４  ラック部
【発明を実施するための最良の形態】
【００１１】
以下、本発明の一実施形態を説明する。本発明の一実施形態にかかるピックアップの送り機構（以下、単に送り機構と記す）は、付勢手段が当接部をケースに向かって付勢する
ので、該当接部がケースに固定される。そして、該当接部がケースに固定された箇所からガイド部に接触する箇所までの距離を短くして、当接部のガイド部に接触する箇所が、ラック部に対して遅れて移動することを防止している。【００１２】
こうすることで、ケース即ち光ピックアップの移動中に、該光ピックアップを収容したケースのねじ軸と噛み合う一端部より他端部が遅れて移動することを防止する。したがって、小型化を図っても、正確な位置に光ピックアップを位置決めすることを可能としている。【００１３】
また、当接部とケースとのうち一方に凸部を設け、他方に該凸部が侵入する凹部を設けても良い。この場合、当接部とケースとを確実に固定でき、ケース即ち光ピックアップの移動中に当接部がケースの前述した一端部より遅れて移動することを確実に防止できる。【００１４】
さらに、凹部を、当接部とケースとのうち一方から離れるのにしたがって徐々に幅を狭く形成しても良い。この場合、付勢手段の付勢力によって、凸部が凹部のより奥に案内されて、当接部とケースとをより確実に固定できる。【００１５】
凹部を、断面Ｖ字状に形成しても良い。この場合、付勢手段の付勢力によって、凸部が凹部のより一層奥に案内されて、当接部とケースとをより一層確実に固定できる。【００１６】
さらに、凸部を、当接部とケースとのうち一方から他方に近づくのにしたがって徐々に幅を狭く形成しても良い。この場合、付勢手段の付勢力によって、凸部が凹部のより奥に案内されて、当接部とケースとをより確実に固定できる。【００１７】
凸部を、断面山形に形成しても良い。この場合、付勢手段の付勢力によって、凸部が凹部のより一層奥に案内されて、当接部とケースとをより一層確実に固定できる。【００１８】
ガイド部をシャーシの一部としても良い。この場合、ケースを案内する専用の部材を設ける必要がなくなり、部品点数を削減することができる。
【実施例】
【００１９】
本発明の一実施例を、図１ないし図６に基づいて説明する。図１などに示す本発明のピックアップの送り機構（以下、単に送り機構と呼ぶ）１は、例えば、ＣＤ（光ディスクに相当）などのディスク状記録媒体などに記録された情報を読み出すためのもので、電子機器としてのＣＤプレーヤ２（図１に一部を示す）などの前記ディスク状記録媒体の情報を再生する記録媒体再生装置などに用いられる。【００２０】
ＣＤプレーヤ２は、図１に示すように、機器本体と、再生部４とを備えている。機器本体は、図示しないケースと、固定シャーシと、を備えている。ケースは、ＣＤプレーヤ２の外殻を形成し、合成樹脂からなる扁平な箱状に形成されている。ケースには、ＣＤを機器本体内に出し入れするための挿入口が設けられている。固定シャーシは、板金からなり、ケース内に収容されて、該ケースに取り付けられている。【００２１】
再生部４は、固定シャーシ内に収容されている。再生部４は、板金で構成された移動シャーシ（シャーシに相当する）８と、前述したＣＤをクランプして回転する回転テーブル９と、送り機構１とを備えている。【００２２】
移動シャーシ８は、ダンパによって、固定シャーシ即ち機器本体に対して移動自在に支持されている。移動シャーシ８は、略平坦な平坦部３を備えている。平坦部３は、その両表面が機器本体の底壁や天井壁と平行に配置される。平坦部３には、回転テーブルが後述
するようにクランプしたＣＤの径方向に沿って延在した貫通孔５が設けられている。【００２３】
回転テーブル９は、平坦部３の中央に回転自在に支持されたテーブルと、該テーブルを回転するスピンドルモータ６などを備えている。テーブルは、ＣＤをクランプする。スピンドルモータ６は、移動シャーシ８の平坦部３に取り付けられている。回転テーブルは、ＣＤをクランプしたテーブルをスピンドルモータ６が回転させて、前述したＣＤをクランプし、該ＣＤを回転する。【００２４】
送り機構１は、図１などに示すように、移動シャーシ８に取り付けられている。送り機構１は、ねじ軸としてのリードスクリュー１１と、ピックアップ部１２と、ラック部材１３と、付勢手段としてのねじりコイルばね１４と、を備えている。【００２５】
リードスクリュー１１は、円柱状に形成されて、その外周面にねじ溝が形成されている。リードスクリュー１１は、その長手方向が、回転テーブル９がクランプしたＣＤの径方向と平行な状態に配され、その軸芯回りに回転自在に移動シャーシ８に支持されている。リードスクリュー１１は、貫通孔５の前述したＣＤの周方向に沿って相対する一対の内縁部５ａ，５ｂのうち一方の内縁部５ａの近傍に配置されている。リードスクリュー１１は、移動シャーシ８の平坦部３に取り付けられたモータによって、その軸芯回りに回転駆動される。【００２６】
ピックアップ部１２は、前述したＣＤなどのディスク状記録媒体に記録された情報を取り出すピックアップ（光ピックアップ）と、ケース１５とを備えている。ケース１５は、合成樹脂などで構成されて、扁平な箱状に形成されて、ピックアップを内部に収容している。【００２７】
ケース１５には、ピックアップが前記ＣＤなどのディスク状記録媒体に記録された情報を取り出すことを妨げない窓が設けられている。ケース１５は、その一端部１５ａが、ラック部材１３の一端部２３ａとの間に前述したリードスクリュー１１を挟み込んでいるとともに、該ラック部材１３の一端部２３ａとともにリードスクリュー１１の外周に螺合している。このため、ケース１５は、リードスクリュー１１がモータによって軸芯回りに回転されると、該リードスクリュー１１の長手方向即ち回転テーブル９がクランプしたＣＤの径方向に沿って移動する。【００２８】
また、ケース１５の他端部１５ｂには、案内部１６が設けられている。案内部１６は、ケース１５の外表面から互いに平行に突出した一対の突起１７ａ，１７ｂを備えている。突起１７ａ，１７ｂは、回転テーブル９がクランプしたＣＤの表面に沿って、ケース１５の外表面から突出している。【００２９】
一対の突起１７ａ，１７ｂは、ＣＤの厚み方向Ｚ（図１中に矢印で示す）即ちＣＤの表面に対し直交する方向に沿って、互いに間隔をあけている。案内部１６は、前述した一対の突起１７ａ，１７ｂ間に前述した貫通孔５の一対の内縁部５ａ，５ｂのうちの他方の内縁部５ｂ（図６に示す）を位置付けている。案内部１６は、一対の突起１７ａ，１７ｂ間に移動シャーシ８の内縁部５ｂを位置付けることで、リードスクリュー１１の長手方向即ち回転テーブル９がクランプしたＣＤの径方向に沿って移動自在にケース１５の他端部１５ｂを支持する。【００３０】
このように、ケース１５は、一端部１５ａがリードスクリュー１１に螺合し、他端部１５ｂの案内部１６の一対の突起１７ａ，１７ｂ間に移動シャーシ８の前述した内縁部５ｂを位置付けることで、貫通孔５を跨る状態で前述した移動シャーシ８などに支持されている。なお、移動シャーシ８の前述した他方の内縁部５ｂは、特許請求の範囲に記載されたガイド部をなしている。また、このガイド部をなす内縁部５ｂは、前述したリードスクリュー１１と間隔をあけて配置されている。【００３１】
ラック部材１３は、絶縁性の合成樹脂で構成されて、平板状に形成されている。ラック部材１３は、ラック本体２３と、ラック部２４と、当接部１９とを一体に備えている。即ち、ラック部２４と当接部１９とは、連結している。ラック本体２３は、ケース１５に固定されているとともに、その長手方向が、回転テーブル９がクランプしたＣＤの周方向に沿って配置されている。【００３２】
ラック部材１３のラック部２４は、ラック本体２３のリードスクリュー１１寄りの一端部２３ａに設けられ、ケース１５の一端部１５ａとの間にリードスクリュー１１を挟んでいるとともに、該リードスクリュー１１の外周に螺合している。即ち、ラック部２４は、ケース１５に取り付けられている。【００３３】
また、ラック部材１３のラック本体２３は、ねじ１８（図６に示す）などによって、前述した一端部２３ａがケース１５に固定されている。即ち、ラック部材１３のラック本体２３のケース１５への固定箇所が、リードスクリュー１１寄りに位置付けられる。このため、ラック部材１３は、ケース１５とともにリードスクリュー１１の長手方向に沿って、移動する。当接部１９は、ラック部材１３のラック本体２３の他端部２３ｂに設けられ、前述した移動シャーシ８の内縁部５ｂと当接している。即ち、当接部１９は、ケース１５に取り付けられている。【００３４】
ねじりコイルばね１４は、コイル状のコイル部と、一対の棒状部２２（図１には、一方のみ示す）とを一体に備えている。コイル部は、ケース１５の一端部１５ａとラック部材１３のラック本体２３の一端部２３ａとの間に挟まれて、これらに固定されている。一対の棒状部２２は、コイル部に連なっている。図示しない方の棒状部は、ラック部材１３のラック本体２３の一端部２３ａに取り付けられているとともに、該一端部２３ａをリードスクリュー１１に向かって付勢している。【００３５】
一方の棒状部２２は、前述したねじ１８によって、ラック部材１３のラック本体２３に固定されている。一方の棒状部２２は、コイル部からラック部材１３のラック本体２３の他端部２３ｂに向かって延在しているとともに、該ラック部材１３のラック本体２３の他端部２３ｂに設けられた当接部１９を、前述した厚み方向Ｚと、ＣＤの表面と平行でかつリードスクリュー１１と直交する方向Ｙ（以下、表面方向と呼び、図１中に矢印で示す）との双方に対して傾き、かつ移動シャーシ８に向かうにしたがって、徐々に貫通孔５の内側に向かう方向Ｋ（以下、付勢方向と呼び、図６中に矢印で示す）に沿って、付勢している。即ち、ねじりコイルばね１４は、当接部１９を、移動シャーシ８に設けられたガイド部としての内縁部５ｂに向かって付勢しているとともに、ケース１５の他端部１５ｂに向かって付勢している。【００３６】
こうすることで、ねじりコイルばね１４は、ラック部材１３の当接部１９を移動シャーシ８の内縁部５ｂに向かって付勢して、当接部１９と一対の突起１７ａ，１７ｂのうち一方を移動シャーシ８に密着させて、該移動シャーシ８に対してケース１５ががたつくことを防止する。また、ねじりコイルばね１４は、ラック部材１３の他端部２３ｂに設けられた当接部１９をケース１５の他端部１５ｂに向かって付勢して、これらを互いに密着させて、前述したケース１５の移動に対して当接部１９即ちラック部材１３が遅れることを防止する。【００３７】
また、図２ないし図５に示すように、前述したケース１５の他端部１５ｂとラック部材１３のラック本体２３の他端部２３ｂに設けられた当接部１９とのうち一方には、凸部２０が設けられ、他方には、凹部２１が設けられている。即ち、送り機構１は、これらの凸部２０と凹部２１を備えている。図示例では、凸部２０は、ラック部材１３のラック本体２３の他端部２３ｂの当接部１９に設けられ、凹部２１は、ケース１５の他端部１５ｂに設けられている。【００３８】
凸部２０は、ラック部材１３のラック本体２３の他端部２３ｂに設けられた当接部１９からケース１５の他端部１５ｂに向かって凸に形成されている。凸部２０は、ラック部材１３のラック本体２３の他端部２３ｂに設けられた当接部１９からケース１５の他端部１５ｂに近づくのにしたがって、その幅が徐々に減少するように、先細に形成されている。また、凸部２０は、断面形状がほぼ２等辺三角形状の山形に形成されている。【００３９】
凹部２１は、ケース１５の他端部１５ｂの外表面から、当接部１９から離れる方向に、凹に形成されている。凹部２１は、当接部１９から離れるのにしたがって即ち該凹部２１の底に向かうにしたがって、その幅が徐々に減少するように形成されている。また、凹部２１は、断面形状がＶ字状に形成されている。さらに、凹部２１内には、前述した凸部２０が侵入する。【００４０】
前述した凹部２１と凸部２０とは、該凹部２１内に凸部２０が侵入して、ケース１５の他端部１５ｂと当接部１９即ちラック部材１３のラック本体２３の他端部２３ｂとを互いに固定して、前述したケース１５の移動に対して当接部１９即ちラック部材１３が遅れることを防止する。【００４１】
本実施例によれば、ねじりコイルばね１４の一方の棒状部２２がラック部材１３のラック本体２３の他端部２３ｂに設けられた当接部１９をケース１５の他端部１５ｂに向かって付勢するので、該当接部１９がケース１５に固定される。そして、該当接部１９がケース１５に固定された箇所からガイド部としての内縁部５ｂに接触する箇所までの距離を短くできる。このため、ラック部材１３の内縁部５ｂに接触する当接部１９が、ラック部材１３のラック本体２３の一端部２３ａに対して遅れて移動することを防止している。【００４２】
このため、ケース１５即ち光ピックアップの移動中に、ラック部材１３のラック本体２３の他端部２３ｂ即ち当接部１９が、ケース１５の一端部１５ａより遅れて移動することを防止する。したがって、小型化を図って、ラック部材１３とケース１５とのねじ１８などによる固定箇所がリードスクリュー１１寄りに位置付けられても、正確な位置に光ピックアップを位置決めすることができる。【００４３】
また、ラック部材１３のラック本体２３の他端部２３ｂに設けられた当接部１９に凸部２０を設け、ケース１５の他端部１５ｂに該凸部２０が侵入する凹部２１を設けている。このため、ラック部材１３のラック本体２３の他端部２３ｂに設けられた当接部１９とケース１５の他端部１５ｂとを確実に固定でき、ケース１５即ち光ピックアップの移動中に当接部１９がケース１５の一端部１５ａより遅れて移動することを確実に防止できる。【００４４】
さらに、凹部２１を、当接部１９から離れるのにしたがって徐々に幅を狭く形成して、断面Ｖ字状に形成している。このため、ねじりコイルばね１４の付勢力によって、凸部２０が凹部２１のより奥に案内される。したがって、当接部１９とケース１５の他端部１５ｂとをより確実に固定できる。【００４５】
さらに、凸部２０を、当接部１９からケース１５の他端部１５ｂに近づくのにしたがって徐々に幅を狭く、断面山形に形成している。このため、ねじりコイルばね１４の一方の棒状部２２の付勢力によって、凸部２０が凹部２１のより奥に案内される。したがって、当接部１９とケース１５の他端部１５ｂとをより確実に固定できる。【００４６】
ガイド部を移動シャーシ８の内縁部５ｂとしている。即ち、ガイド部は、移動シャーシ８の一部である。このため、ケース１５を案内する専用の部材を設ける必要がなくなり、部品点数を削減することができる。【００４７】
前述した実施例では、ラック部材１３の他端部２３ｂに凸部２０を設け、ケース１５の他端部１５ｂに凹部２１を設けている。しかしながら、本発明では、図７に示すように、ラック部材１３の他端部２３ｂに凹部２１を設け、ケース１５の他端部１５ｂに凸部２０を設けても良い。【００４８】
また、本発明では、図８に例示するように、凸部２０と凹部２１の形状を、断面山形状や断面Ｖ字状に限らず、種々の形状に変更しても良い。なお、図８では、凸部２０を断面円弧状に形成した場合を示している。【００４９】
また、本発明では、付勢手段として、ねじりコイルばね１４以外の種々のばねや、ゴムなどの種々の弾性体を用いても良い。さらに、本発明では、ラック部２４と当接部１９とを別体に構成しても良い。【００５０】
前述した実施例では、電子機器としてＣＤプレーヤ２を示している。しかしながら、本発明では、ＣＤプレーヤ２に限らず、種々の電子機器に適用しても良い。【００５１】
前述した実施例によれば、以下のピックアップの送り機構１が得られる。【００５２】
（付記）  リードスクリュー１１と、
前記リードスクリュー１１と間隔をあけて配置された内縁部５ｂと、
光ヒップアップを収容したケース１５と、
前記ケース１５に取り付けられ、前記リードスクリュー１１と噛み合うラック部２４と、
前記ケース１５に取り付けられ、前記内縁部５ｂに接触した当接部１９と、
前記当接部１９を前記内縁部５ｂに向かって付勢しているとともに、前記ケース１５に向かって付勢したねじりコイルばね１４と、
を備えたことを特徴とするピックアップの送り機構１。【００５３】
付記によれば、ねじりコイルばね１４が当接部１９をケース１５に向かって付勢するので、該当接部１９がケース１５に固定される。そして、該当接部１９のケース１５に固定された箇所から内縁部５ｂに接触する箇所までの距離が短くなる。このため、内縁部５ｂに接触する当接部１９が、ケース１５のリードスクリュー１１と噛み合う一端部１５ａに対して遅れて移動することを防止できる。【００５４】
このため、ケース１５即ち光ピックアップの移動中に、当接部１９が遅れて移動することを防止できる。したがって、小型化を図っても、正確な位置に光ピックアップを位置決めすることを可能としている。【００５５】
なお、前述した実施例は本発明の代表的な形態を示したに過ぎず、本発明は、実施例に限定されるものではない。即ち、本発明の骨子を逸脱しない範囲で種々変形して実施することができる。
【図１】
0004440974.tif 000002
【図２】
0004440974.tif 000003
【図３】
0004440974.tif 000004
【図４】
0004440974.tif 000005
【図５】
0004440974.tif 000006
【図６】
0004440974.tif 000007
【図７】
0004440974.tif 000008
【図８】
0004440974.tif 000009